(57)【要約】【課題】地面からの照り返しや斜め上からの紫外線を少なくする遮光シート付き傘を提供する。【解決手段】放射状に親骨が展開される傘において、複数の親骨先端に設けられる露先と傘軸の下部で支持される遮光シートが、近接する露先を結んだ形状を多角形の底面に、傘軸での支持部を頂点とする逆向きの略多角錐形状の側面の一部で形成され、側面での遮光シートのない部分が開口部にされて上半身を前から覆うことで、照り返しと斜め上からの紫外線を遮り、上半身を保護する。【選択図】図１
2012045064.tif 000002
【特許請求の範囲】
【請求項１】
傘軸の上部で片端部が回動自在に片持ち支持される複数の親骨と、該親骨の先端に嵌め込まれる露先で固定される傘布地を有する傘において、複数の前記露先と前記傘軸の下部で支持される遮光シートが、紫外線の遮りを主として透光性を併せ持つシートで形成されて、複数の前記親骨が放射状に展開された状態で、近接する複数の前記露先を結んだ形状を多角形の底面にして、前記傘軸の下部で支持される位置を頂点とする上下反転の略多角錐形状の側面の一部で主たる部分が構成され、前記遮光シートが設けられない部分が開口部にされた遮光シート付き傘。  
【請求項２】
前記遮光シートと補助遮光シートで、全ての前記露先を結んだ形状の前記底面の近傍全周を覆い、前記遮光シートと前記補助遮光シートが設けられない略多角錐形状の側面の一部が前記開口部にされた請求項１に記載の遮光シート付き傘。
【請求項３】
前記遮光シートがメッシュ状布地で、外縁部が複層の布地で縫い重ねられて構成された請求項１または請求項２に記載の遮光シート付き傘。
【請求項４】
前記傘布地の外縁部が隣接する前記露先に支持された部分を結んだ直線の位置より外にはみ出す形状で、小さい孔を多数有する布地で形成された請求項１または請求項２に記載の遮光シート付き傘。  
【請求項５】
前記傘布地の外縁部が、隣接する前記露先に支持された部分を結んだ直線の位置より外にはみ出す形状で、フリル形状の布地で形成された請求項１または請求項２に記載の遮光シート付き傘。
【請求項６】
前記遮光シートを前記露先に支持する嵌め部材が、管状部の外側に凸部を有するエラストマー樹脂で構成された請求項１または請求項２に記載の遮光シート付き傘。  
【請求項７】
前記嵌め部材が、管状の内壁の一部に管状部の中心軸方向と平行に突出する部分が形成された請求項６に記載の遮光シート付き傘。
【請求項８】
前記遮光シートを前記傘軸の下部に支持する支持部材が、前記傘軸を挟む部分を有する開閉自在のクリップ形状に形成され、前記挟む部分に連結してばねで力が加えられた２箇所の押圧部の孔に前記遮光シートが縫製で固定された請求項１または請求項２に記載の遮光シート付き傘。
【発明の詳細な説明】
【技術分野】
【０００１】
本発明は、照り返しなどの紫外線を遮る遮光シートを着脱自在にした傘に関するものである。
【背景技術】
【０００２】
従来、太陽光の紫外線から顔や首などの肌、および眼を保護する傘は、傘布地の遮光性を上げて直接光から保護したり、傘布地の内側を濃い色調にして照り返し光の再反射を小さくすることで日傘として実用化されてきた。地面からの照り返し光、さらには斜め上方向からの直接光や反射光に含まれる紫外線から傘で保護する手段は限られていた。  
【０００３】
斜め上方向からの、あるいは照り返しによる紫外線を遮る技術として、特許文献１で開示される方法がある。図１０で示されるように、側面１の一部に開口部２が形成された略筒状にし、傘布地３の内側に取り付け、下部に傘の柄４が通る穴５を有する遮光性の補助布６を設けた傘７がある。筒状の側面は、少しの風や傘の移動で変形し、顔に当たったり、視界を妨げる。幅が狭い開口部２に顔を入れた状態を保つには、補助布６が当たることのほか傘軸が当たるなど、傘７の傾きと位置が限定されて煩わしく、顔を外に出すことになり、顔などの上半身を覆う面積も小さいため、紫外線を遮る効果が小さくなる。
【０００４】
傘の外周部に雨を避けるための布地を垂れ下げる構成が特許文献２で示される。露先を含む傘の外周部から布地の雨避片が、傘布地と隙間なく垂れ下げて配置される。後ろに配置した雨避片は、風などで変形しても背中付近の物を雨に濡れにくくできるが、上半身に当たる斜め上からの、あるいは照り返しによる紫外線を遮る効果は少ない。傘の縁の全周に雨避片を配置する構成でも、照り返しによる紫外線を遮ることは不十分である。また、全体が風で大きく変形して煩わしく、風が上半身に当たらず、不快感が伴う。    
【０００５】
傘の外側上部にカバーを着脱可能に外周先端の露先に嵌め込んで取り付ける方法が特許文献３で示される。メッシュ状の生地の傘布地が縫い付けられた露先が、放射状に配置された親骨の先に嵌め込まれて傘形状にされ、紫外線を遮る晴天用に用いられる。防水された生地で形成された別のカバーが雨天時に取り付けられる。従来の傘構成と変わらず、照り返しなどの紫外線を防ぐことは出来ない。
【先行技術文献】
【特許文献】
【０００６】
【特許文献１】特開２００６−２１８２６６
【０００７】
【特許文献２】特開２００３−３３２１１
【０００８】
【特許文献３】ＵＳ２００７／０１２５４０９
【発明の概要】
【発明が解決しようとする課題】
【０００９】
本発明の遮光シート付き傘は、照り返しなどの紫外線から顔などを保護する課題を解決する。
【課題を解決するための手段】
【００１０】
請求項１においては、傘で遮蔽されないで顔などに当たる紫外線の量を少なくする。複数の親骨の先端に嵌め込まれる複数の露先と傘軸の下部で支持される遮光シートが、紫外線を遮るのを主として透光性を併せ持つシートで形成される。遮光シートは、紫外線をある程度カットしながら周りが見えるようなものにされる。親骨と傘布地が展開された状態で、近接する複数の露先を結んだ形状を多角形の底面に、傘軸の下部で支持される位置を頂点とする上下反転の略多角錐形状の側面の一部で遮光シートの主たる部分が構成される。遮光シートが設けられない側面の一部に相当する部分は開口部にされ、顔などの上半身の一部が出入り自在にされる。略多角錐形状の側面にされることで遮光シートは張られ、顔に当たりにくくなる。また、遮光シートは着脱自在にされる。
【００１１】
請求項２においては、上半身に紫外線がさらに当たらない構成にされる。遮光シートと補助遮光シートで全ての露先を結んだ多角形の底面の近傍全周を覆う。底面と傘軸に支持された箇所を頂点とする略多角錐形状の側面において、遮光シートと補助遮光シートのない部分が上半身を出し入れできる開口部にされる。
【００１２】
請求項３においては、周囲を見やすくし、収納を容易にする。遮光シートは、全体がメッシュ状布地で構成される。外縁部はメッシュ状布地また非メッシュ状の布地が縫い重わせることで強度を確保するとよい。  
【００１３】
請求項４においては、隙間をなくすことで直接光を抑え、周囲を見やすくする。親骨に張られた傘布地の外縁部は、傘が展開された状態で、隣接する露先に支持された部分を結んだ直線の位置より外にはみ出す形状にされ、小さい孔を多数有する布地で形成される。  
【００１４】
請求項５においては、傘布地の外縁部にフリル形状の布を縫製で設けることで、はみ出す部分のデザインを工夫し、遮光性を向上する。親骨に張られた傘布地の外縁部は、傘が展開された状態で、隣接する露先に支持された部分を結んだ直線の位置より外にはみ出す形状にされ、フリル形状の布地で形成される。
【００１５】
請求項６においては、露先に嵌め込む嵌め部材を遮光シートが安定して固定されるものにする。管状部の外側に凸部が形成され、遮光シートを縫製で固定する糸が外れにくくされる。嵌め部材はエラストマー樹脂などで構成される。
【００１６】
請求項７においては、管状部の内壁の一部に管状の中心軸方向に平行な突出する部分が形成され、管状部を構成するエラストマー樹脂の弾性によって傘の露先に安定して嵌め込まれるようにする。
【００１７】
請求項８においては、遮光シートを傘軸に容易に着脱できるようにする。遮光シートを傘軸の下部に支持する支持部材を、傘軸を挟む部分を有する開閉自在なクリップ形状の挟む部分に連結してばねで力が加えられた２箇所の押圧部の孔に遮光シートが縫製で固定される。
【発明の効果】
【００１８】
斜め方向と照り返しによる紫外線の多くを遮蔽することで、顔や首などの上半身を保護することができる。
【００１９】
風による遮光シートの変形を小さくし、遮光シートが顔に当たることを少なくできる。
【図面の簡単な説明】
【００２０】
【図１】本発明の遮光シート付き傘の実施例１を示す。
【図２】本発明の遮光シート付き傘に用いる嵌め部材と支持部材を示す。
【図３】本発明の実施例１の使用例１を示す。
【図４】本発明の実施例１の使用例２を示す。
【図５】本発明の遮光シート付き傘の実施例２を示す。
【図６】本発明の遮光シート付き傘の実施例３を示す。
【図７】本発明の遮光シート付き傘の実施例４を示す。
【図８】本発明の遮光シート付き傘の実施例５を示す。
【図９】本発明の実施例５の使用例を示す。
【図１０】従来の補助布付き傘を示す。
【発明を実施するための形態】
【００２１】
本発明の遮光シート付き傘を説明するため、以下の実施例で記述する。
【実施例１】
【００２２】
太陽光に含まれる紫外線は、顔や首などの露出した肌の部分や眼などに多くさらされると、美容上や健康上に悪い影響を与える。傘または帽子、さらには日焼け止めクリームを肌に塗って影響を少なくすることが一般的である。眼にはサングラスを用いることもある。いずれも完全ではないが、紫外線の照射量を出来るだけ少なくすることが確実な対策である。ここでは、日傘の形態で、さらに紫外線の上半身への照射量を少なく方法を示す。
【００２３】
図１は、本発明の遮光シート付き傘の実施例１を示す。傘８は、傘軸９の上部で複数の親骨１０の片端部が回動自在に片持ち支持され、親骨１０と、親骨１０の先端に嵌め込まれる複数の露先１１で固定される遮光性の傘布地１２を有する。複数の露先１１と、傘軸９の下部で支持される遮光シート１３は、紫外線の遮りを主とし、透光性を併せ持つシートで形成される。複数の親骨１０が放射状に展開された状態で、近接する露先１１どうしを結んだ形状を多角形の底面に、傘軸９の下部で支持部材１４によって支持される位置を頂点とする上下反転の略多角錐形状の側面の一部で遮光シート１３の主たる部分が構成される。上下反転の略多角錐形状の側面のうち、両端部１５と１６の間で遮光シート１３が設けられない部分が開口部１７にされ、顔などの上半身の一部が出入り自在にされる。
【００２４】
遮光シート１３は、全ての親骨１０のうちの１本ないし２本ほどを除き、隣接する親骨１０の先端に嵌め込まれた嵌め部材１８で支持され、紫外線の入る量を少なくする。例えば、親骨１０の全数が８本の場合には６本の親骨１０の先端に、あるいは、親骨１０の全数が６本の場合には５本の親骨１０の先端に隣接どうし連続して嵌め込まれた嵌め部材１８で遮光シート１３は支持される。
【００２５】
遮光シート１３は、底面と頂点で固定される略多角錐形状の側面で形成されることで張力が加わり、略多角錐形状の頂角も比較的大きいため、風などによる変形で顔に当たりにくくされる。また、遮光シート１３に固定された複数の嵌め部材１８と支持部材１４を、複数の露先１１と傘軸９の下部に着脱自在に取り付けられるようにすることで、遮光シート１３は必要なときに傘８に取り付けられて用いられる。遮光シート１３は、紫外線の多くを遮り、あるいは遮光性の割合が大きく、透光性も併せ持つメッシュ状で濃い色の布地を用いるとよい。遮光性が大きいことは、太陽光に含まれる紫外線の多くが遮られることになる。
【００２６】
２０パーセントほどの透光性でも、日傘が必要なほどの明るい外の環境では、遮光シートの内側から周囲を十分識別できる。濃い色のメッシュ状の布地は、内側から外が見やすい。また、メッシュ状布地はどこからでも柔らかに変形しやすく、傘を畳んで収納するのが容易になる。遮光シート１３の外縁部は、メッシュ状布地を折り返し、または非透光性の丈夫な布地をメッシュ状の布地に縫い重ね、強度を確保し、支持部材１４や嵌め部材１８をその部分に固定してもよい。
【００２７】
遮光シート１３を設けることで、上半身や、傘８の傘布地１２の内側に当たる紫外線の絶対量を少なく出来る。展開された状態における傘８の傘布地１２の内側は凹面形状で、内側で反射した紫外線は上半身に集まる傾向があり、従来は反射しにくい色で対応していたが、遮光シート１３で紫外線を少なくすることで対応できる。メッシュ状でなくても、遮光シート１３には光を透過する小さい孔が広く一様に設けられていると、内側から周囲を識別しやすくできる。
【００２８】
遮光シート１３が固定される嵌め部材１８は、露先１１に嵌め込まれる構成にされる。また、支持部材１４で傘軸９の下部にしっかり支持する構成にすることで、遮光シート１３全体に張力を加えて緩みを少なくできる。嵌め部材１８は管状部を有する構成にされ、遮光シート１３が嵌め部材の外周部に縫製で固定されるようにするとよい。
【００２９】
図２は、本発明の実施例１で使用される嵌め部材１８と支持部材１４の形状例を示す。図２（ａ）では、嵌め部材１８が示される。円形状の孔１９が形成された管状部２０の外側に凸部２１、２２、および２３が形成される。管状部２０の影になって見えない部分の、凸部２３と同じ軸方向の位置にも凸部が設けられる。凸部２１、２２と凸部２３とは軸方向に間隔を有して配置され、この間に遮光シートを縫製で固定する糸が複数巻かれることで糸がずれて外れにくくされる。凸部２１、２３は、軸方向に間隔を有して管状部２０の外側に環状に連続する形状にされてもよい。管状部２０の内壁に軸方向と平行に突出する部分２４が設けられ、また、エラストマー樹脂が多少とも弾性を有することで内側が変形しやすくされ、嵌め部材１８が露先の大きさのばらつきを吸収して安定してはめ込まれる。管状部２０の片端２５は半球状の構成にされ、人の目を傷つけにくくされる。
【００３０】
図２（ｂ）では、支持部材１４が示される。ばね２６を有して開閉自在にされたクリップ形状の挟む部分２７で、図１の傘軸９の下部を挟み、遮光シート１３を固定する。クリップ形状の挟む部分２７から連続する２箇所の押圧部２８、２９の孔３０、３１で、遮光シート１３は押圧部２８、２９を包むようにして縫製で固定される。２箇所の押圧部２８、２９に遮光シート１３が固定されることで、遮光シート１３に加わる力が分散される。また、支持部材１４の押圧部２８、２９が遮光シート１３で包まれることで外観的に自然なものにされ、クリップ形状の金属の一部が手などに直接当たりにくくされる。
【００３１】
図３は、本発明の実施例１の遮光シート付き傘８を垂直に立てた使用例で示す。柄３２を握った人の顔３３や首３４を含む上半身は、傘布地１２によって太陽からの直接光に含まれる紫外線の多くを遮ることで保護される。傘布地１２では遮れない斜め上方向からの、さらには地面や建物などからの照り返しの紫外線は、顔３３や首３４においては、遮光シート１３でかなり遮られる。遮光シート１３は複数の露先１１の多くに支持されて広く前を覆う形状にされる。ただし傘布地１２と遮光シート１３の隙間３５から入る紫外線や、遮光シート１３をある程度透過する紫外線がある。後や横方向からの照り返しによる紫外線は、傘軸９の角度によって強さが変わるが、遮れない。  
【００３２】
図４は、本発明の実施例１の遮光シート付き傘８を少し寝かした使用例で示す。柄３２を握った人の上半身、特に、顔３３や首３４の横の部分が傘布地１２と遮光シート１３によって深く覆われ、後や横方向からの照り返しによる紫外線の多くが遮られる。遮光シート１３の透光性は、周囲を十分認識するためにあまり小さく出来きず、前の斜め上方向から遮光シート１３を透過して顔３３などに当たる紫外線の量が増大するマイナス面が伴う。また、傘布地１２と遮光シート１３の隙間３５を通り斜め上方向から直接入る紫外線も強くなる。
【００３３】
展開された傘８の傘布地１２は全体が緩まずに張られるために、隣接する親骨１０の間で、外縁部３６が露先１１の間を結んだ直線より内側にやや凹んだ形状にされるのが一般的である。傘８が展開されると、傘布地１２は張力で張られた状態にされ、外縁部３６の中間部は内側方向に引かれることにもよる。遮光シート１３は、自身の重さと張力で、露先１１の間の上縁部３７の中間部が下に弛んだ形状になる。結果、以下の問題が生じる。傘布地１２の外縁部３６と遮光シート１３の上縁部３７の間に隙間３５が生じることになり、紫外線の遮蔽が不十分なものになる。また、隙間３５の部分の明るさで、遮光シート１３の内側から周囲を識別しにくくなる。
【実施例２】
【００３４】
図５は、本発明の遮光シート付き傘の実施例２を示す。傘３８に張られた傘布地３９の露先４０間の外縁部４１は、隣接する露先４０を結んだ直線より外側にはみ出る形状で小さい孔を多数有する布地で形成される。小さい孔が多数形成された布地を通し、外縁部４１の傘の内側から周囲を認識しやすくする。遮光シート４２の上縁部４３の下に弛んだ部分が、傘布地３９から連続する外縁部４１で覆われることにより、実施例１の図４で示された隙間３５から入っていた紫外線の多くが遮られる。
【実施例３】
【００３５】
図６は、本発明の遮光シート付き傘の実施例３を示す。傘４４に張られた傘布地４５の露先４６間の外縁部４７は、隣接する露先４６を結んだ直線より外側にはみ出したフリル形状の布で形成される。遮光シート４８の上縁部４９の下に弛んだ部分がフリル形状の外縁部４７で覆われることで、実施例１の図４で示された隙間３５から入っていた紫外線の多くが遮られる。外縁部４７の近傍をフリル形状にすることで、実施例２の図５で示されるような弛んだ外縁部４１をデザイン的に改良できる。
【実施例４】
【００３６】
図７は、本発明の遮光シート付き傘の実施例４を示す。ここでも、傘５０の傘布地５１は、実施例２の図５の外縁部４１で示されるような、外縁部５２が外にはみ出す形状を採用することを前提とする。遮光シート５３と補助遮光シート５４、５５で、嵌め部材５６が嵌め込まれた全ての露先を結んだ形状の多角形底面の近傍全周を覆い、傘軸５７の下部で止める支持部材５８を頂点とする略多角錐形状の側面の複数の露先５６に到らない位置までの形状で、開口部５９が形成される。新たに、補助遮光シート５４、５５が設けられることにより、照り返しによる紫外線から上半身を保護しやすくなる。補助遮光シート５４と５５は露先５６に取り付けられる。また、補助遮光シート５４と５５は中間で分けた形状にされることで、上半身の出し入れに邪魔にならないものにするとよい。  
【００３７】
図８は、本発明の実施例４の遮光シート付き傘５０を少し寝かした使用例を示す。柄６０を握った人の上半身、特に顔６１や首６２が傘布地５１と遮光シート５３によって深く覆われ、さらに補助遮光シート５４、５５（図示されず）によって後や横方向からの照り返しによる紫外線の多くが遮られる効果が大きい。遮光シート５３は、周囲を十分認識できる程度の透光性にされ、傘布地５１と遮光シート５３の間から紫外線が入りにくくされる。遮光シート５３と補助遮光シート５４、５５で全周が覆われ、隙間が少なく、内側が濃い色にされることで周囲を認識しやすくなる。
【実施例５】
【００３８】
図９は、本発明の遮光シート付き傘の実施例５を示す。展開された傘６３の親骨６４の先端に嵌め込まれて複数の露先６５で固定され、傘軸６６の下部で支持される遮光シート６７を示す。遮光シート６７を、多角錐形状の頂点に相当する、傘軸６６の下部に支持する支持部材６８に、着脱自在にされた帯状部が用いられる。
【符号の説明】
【００３９】
８、３８、４４、５０、６３    傘
９、５７、６６    傘軸
１０、６４    親骨
１１、４０、４６、６５    露先
１２、３９、４５、５１    傘布地
１３、４２、４８、５３、６７    遮光シート
１４、５８、６８    支持部材
１７、５９    開口部
１８、５６    嵌め部材
３２、６０    柄
３６、４１、４７    外縁部
５４、５５    補助遮光シート
【図１】
2012045064.tif 000003
【図２】
2012045064.tif 000004
【図３】
2012045064.tif 000005
【図４】
2012045064.tif 000006
【図５】
2012045064.tif 000007
【図６】
2012045064.tif 000008
【図７】
2012045064.tif 000009
【図８】
2012045064.tif 000010
【図９】
2012045064.tif 000011
【図１０】
2012045064.tif 000012